(57)【要約】【課題】好適な状況で通信端末のアラーム出力を行えるようにする。【解決手段】子供等の所持する第１の通信端末４にアラームの出力指示を送信する送信時刻と第１の通信端末４がアラームを行う場所にあるか否かを判定するための判定基準を示すアラーム条件とを含むアラーム設定情報を、親等の所持する第２の通信端末３から受信し、このアラーム設定情報に含まれる送信時刻の所定時間前に至ると、第２の通信端末３及び第１の通信端末４についての位置情報を取得し、位置情報が取得されると、この位置情報に基づいて、第１の通信端末４が自宅内にあるか、又は、第１の通信端末４が第２の通信端末３と近距離通信可能な範囲内にあるか、を判定し、第１の通信端末４が自宅内に無く、且つ、第１の通信端末４が近距離通信可能な範囲内に無い、と判定された場合に第１の通信端末４にアラームの出力指示を送信時刻に送信する。【選択図】図６
2010004135.tif 000002
【特許請求の範囲】
【請求項１】
アラームの出力指示を端末に送信するアラーム指示サーバであって、
第１の通信端末に前記出力指示を送信する送信時刻と前記第１の通信端末がアラームを行う場所にあるか否かを判定するための判定基準を示すアラーム条件とを含むアラーム設定情報を、第２の通信端末から受信する受信手段と、
前記受信手段によって受信された前記アラーム設定情報に含まれる前記送信時刻の所定時間前に至ると、前記第１及び第２の通信端末についての位置情報を所定の方法で取得する第１の取得手段と、
前記第１の取得手段によって前記位置情報が取得されると、この位置情報に基づいて、前記第１の通信端末が所定の第１の範囲内にあるか、又は、前記第１の通信端末が前記第２の通信端末を含む所定の第２の範囲内にあるか、を判定する第１の判定手段と、
前記第１の通信端末が前記第１の範囲内に無く、且つ、前記第１の通信端末が前記第２の範囲内に無い、と前記第１の判定手段によって判定された場合に、前記第１の通信端末に前記出力指示を前記送信時刻に送信する第１の指示手段と
を備える、ことを特徴とするアラーム指示サーバ。
【請求項２】
前記第１の指示手段が前記第１の通信端末に前記出力指示を行ってから所定の時間が経過すると、前記アラーム条件に基づく前記判定に必要な前記第１及び第２の通信端末についての位置情報を前記所定の方法で取得する第２の取得手段と、
前記第２の取得手段によって取得された前記位置情報に基づいて、前記第１の通信端末が前記第１の範囲内にあるか、又は、前記第１の通信端末が前記第２の範囲内にあるか、を判定する第２の判定手段と、
前記第１の通信端末が前記第１の範囲内に無く、且つ、前記第１の通信端末が前記第２の範囲内に無い、と前記第２の判定手段によって判定された場合に、前記第２の通信端末に前記出力指示を送信する第２の指示手段と
を更に備える、ことを特徴とする請求項１に記載のアラーム指示サーバ。
【請求項３】
所定の通信ネットワークを介した通信を行うための第１の通信装置と、
近距離通信を行うための第２の通信装置と、
現在位置を測定するための位置測定装置と
を備える通信端末であって、
アラームの出力指示を端末に送信するアラーム指示サーバに対し、所定の他通信端末に前記出力指示を送信する送信時刻と前記他通信端末がアラームを行う場所にあるか否かを判定するための判定基準を示すアラーム条件とを含むアラーム設定情報を、前記第１の通信装置を用いて前記アラーム指示サーバに送信する送信手段と、
前記送信手段によって前記アラーム設定情報が前記アラーム指示サーバに送信された後に、前記アラーム条件に基づく前記判定に必要な位置情報の送信要求が前記第１の通信装置によって前記アラーム指示サーバから受信されると、前記他通信端末が前記近距離通信の行える範囲内にあるか否かを前記第２の通信装置を用いて特定する位置特定手段と、
前記位置特定手段による特定結果を、前記第１の通信装置を用いて前記アラーム指示サーバに通知する通知手段と
を備える、ことを特徴とする通信端末。
【請求項４】
アラームの出力指示を端末に送信するアラーム指示サーバと、第１及び第２の通信端末とを備えたアラーム通知システムであって、
前記第２の通信端末は、前記第１の通信端末に前記出力指示を送信する送信時刻と前記第１の通信端末がアラームを行う場所にあるか否かを判定するための判定基準を示すアラーム条件とを含むアラーム設定情報を、前記アラーム指示サーバに送信し、
前記アラーム指示サーバは、
前記アラーム設定情報を前記第２の通信端末から受信する受信手段と、
前記受信手段によって受信された前記アラーム設定情報に含まれる前記送信時刻の所定時間前に至ると、前記アラーム条件に基づく前記判定に必要な前記第１及び第２の通信端末についての位置情報を所定の方法で取得する第１の取得手段と、
前記第１の取得手段によって取得された前記位置情報に基づいて、前記第１の通信端末が所定の第１の範囲内にあるか、又は、前記第１の通信端末が前記第２の通信端末を含む所定の第２の範囲内にあるか、を判定する第１の判定手段と、
前記第１の通信端末が前記第１の範囲内に無く、且つ、前記第１の通信端末が前記第２の範囲内に無い、と前記第１の判定手段によって判定された場合に、前記第１の通信端末に前記出力指示を前記送信時刻に送信する第１の指示手段と
を有する、ことを特徴とするアラーム通知システム。
【請求項５】
前記アラーム指示サーバは、
前記第１の指示手段が前記第１の通信端末に前記出力指示を送信してから所定の時間が経過すると、前記アラーム条件に基づく前記判定に必要な前記第１及び第２の通信端末についての位置情報を前記所定の方法で取得する第２の取得手段と、
前記第２の取得手段によって取得された前記位置情報に基づいて、前記第１の通信端末が前記第１の範囲内にあるか、又は、前記第１の通信端末が前記第２の範囲内にあるか、を判定する第２の判定手段と、
前記第１の通信端末が前記第１の範囲内に無く、且つ、前記第１の通信端末が前記第２の範囲内に無い、と前記第２の判定手段によって判定された場合に、前記第２の通信端末に前記出力指示を送信する第２の通知手段と
を更に有する、ことを特徴とする請求項４に記載のアラーム通知システム。
【請求項６】
アラームの出力指示を端末に送信するアラーム指示サーバと、第１及び第２の通信端末とを用いたアラーム指示方法であって、
前記第１の通信端末に前記出力指示を送信する送信時刻と前記第１の通信端末がアラームを行う場所にあるか否かを判定するための判定基準を示すアラーム条件とを含むアラーム設定情報を、前記第２の通信端末が前記アラーム指示サーバに送信する送信ステップと、
前記送信ステップにおいて送信された前記アラーム設定情報が前記アラーム指示サーバに受信され、前記アラーム設定情報に含まれる送信時刻の所定時間前に至ると、前記アラーム条件に基づく前記判定に必要な前記第１及び第２の通信端末についての位置情報を前記アラーム指示サーバが所定の方法で取得する第１の取得ステップと、
前記第１の取得ステップにおいて取得された前記位置情報に基づいて、前記第１の通信端末が所定の第１の範囲内にあるか、又は、前記第１の通信端末が前記第２の通信端末を含む所定の第２の範囲内にあるか、を前記アラーム指示サーバが判定する第１の判定ステップと、
前記第１の通信端末が前記第１の範囲内に無く、且つ、前記第１の通信端末が前記第２の範囲内に無い、と前記第１の判定ステップにおいて判定された場合に、前記アラーム指示サーバが前記第１の通信端末に前記出力指示を前記送信時刻に送信する第１の送信ステップと
を有する、ことを特徴とするアラーム指示方法。
【請求項７】
前記第１の送信ステップにおいて前記第１の通信端末に前記出力指示を送信してから所定の時間が経過すると、前記アラーム条件に基づく前記判定に必要な前記第１及び第２の通信端末についての位置情報を前記アラーム指示サーバが前記所定の方法で取得する第２の取得ステップと、
前記第２の取得ステップにおいて取得された前記位置情報に基づいて、前記第１の通信端末が前記第１の範囲内にあるか、又は、前記第１の通信端末が前記第２の範囲内にあるか、を前記アラーム指示サーバが判定する第２の判定ステップと、
前記第１の通信端末が前記第１の範囲内に無く、且つ、前記第１の通信端末が前記第２の範囲内に無い、と前記第２の判定ステップにおいて判定された場合に、前記アラーム指示サーバが前記第２の通信端末に前記出力指示を送信する第２の送信ステップと
を更に有する、ことを特徴とする請求項６に記載のアラーム指示方法。
【発明の詳細な説明】
【技術分野】
【０００１】
本発明は、アラーム指示サーバと、通信端末と、アラーム指示システムと、アラーム指示方法とに関する。
【背景技術】
【０００２】
特許文献１には、携帯電話機を所持する子供が設定エリアから離れた場合に、この携帯電話機にアラーム出力や現在地表示を自動的に行わせるための技術が開示されている。更に、特許文献１には、通信端末を所持する子供が設定エリアから離れた場合に、子供の携帯電話機にこの旨を保護者の携帯電話機に通知させ、設定エリアに戻る経路を表示させるための技術が開示されている。また、特許文献２には、携帯電話を所持する利用者の実際の行動を検出し、この検出した実際の行動と利用者の通常の行動パターンとを比較し、この比較の結果、実際の行動と通常の行動パターンとの間に所定範囲のずれが生じた場合に、この旨を所定の通知先に自動的に通知する技術が開示されている。
【特許文献１】特開２００７−２９５２０１号公報
【特許文献２】特開２００７−２０８４４４号公報
【発明の開示】
【発明が解決しようとする課題】
【０００３】
特許文献１の場合、子供の携帯電話機が設定エリアにあるか否かの判定のみでアラーム出力の可否が決定されるので、設定エリアの安全性が時間帯によって変わり得る場合に対応するのは困難となる。設定エリアの安全性が変わりアラームが必要無くなった状況となっても、アラームが行われてしまう。また、特許文献２の技術では、例えば、遠足や家族旅行等の場合、教師や保護者が子供に同伴していても、実際の行動と通常の行動パターンとの間にずれが生じるので、アラームを必要としない状況となってもアラームが出力されてしまう。そこで本発明の目的は、好適な状況で通信端末のアラーム出力を行えるようにするためのアラーム指示サーバと、通信端末と、アラーム指示システムと、アラーム指示方法とを提供することである。
【課題を解決するための手段】
【０００４】
本発明のアラーム指示サーバは、アラームの出力指示を端末に送信するアラーム指示サーバであって、第１の通信端末に上記出力指示を送信する送信時刻と上記第１の通信端末がアラームを行う場所にあるか否かを判定するための判定基準を示すアラーム条件とを含むアラーム設定情報を、第２の通信端末から受信する受信手段と、上記受信手段によって受信された上記アラーム設定情報に含まれる上記送信時刻の所定時間前に至ると、上記第１及び第２の通信端末についての位置情報を所定の方法で取得する第１の取得手段と、上記第１の取得手段によって上記位置情報が取得されると、この位置情報に基づいて、上記第１の通信端末が所定の第１の範囲内にあるか、又は、上記第１の通信端末が上記第２の通信端末を含む所定の第２の範囲内にあるか、を判定する第１の判定手段と、上記第１の通信端末が上記第１の範囲内に無く、且つ、上記第１の通信端末が上記第２の範囲内に無い、と上記第１の判定手段によって判定された場合に、上記第１の通信端末に上記出力指示を上記送信時刻に送信する第１の指示手段とを備える、ことを特徴とする。
【０００５】
このように、本発明のアラーム指示サーバは、アラームの出力指示を受ける第１の通信端末が、予め指定された所定の第１の範囲内に無く、且つ、アラーム設定情報を送信した第２の通信端末を含む所定の第２の範囲内に無い場合に、アラームの出力指示を予め指定された送信時刻に第１の通信端末に送信する。例えば、家族（親子）が第１及び第２の通信端末を所持しており、親が第２の通信端末を所持し、子供が第１の通信端末を所持する場合、親は、子供の行動を管理するために、子供の所持する第１の通信端末が子供の帰宅予定時刻等（送信時刻）に自宅内等（第１の範囲内）又は親の近く（親の所持する第２の通信端末を含む第２の範囲内）になければ、子供にアラームを行うことが可能となる。このようにアラーム出力の設定に時間と場所とが指定されるので、好適な状況で通信端末のアラーム出力が行える。
【０００６】
本発明のアラーム指示サーバでは、上記第１の指示手段が上記第１の通信端末に上記出力指示を行ってから所定の時間が経過すると、上記アラーム条件に基づく上記判定に必要な上記第１及び第２の通信端末についての位置情報を上記所定の方法で取得する第２の取得手段と、上記第２の取得手段によって取得された上記位置情報に基づいて、上記第１の通信端末が上記第１の範囲内にあるか、又は、上記第１の通信端末が上記第２の範囲内にあるか、を判定する第２の判定手段と、上記第１の通信端末が上記第１の範囲内に無く、且つ、上記第１の通信端末が上記第２の範囲内に無い、と上記第２の判定手段によって判定された場合に、上記第２の通信端末に上記出力指示を送信する第２の指示手段とを更に備える、ことを特徴とする。
【０００７】
従って、第１の通信端末が第１及び第２の範囲内に無いというアラーム条件を満たし、アラームの出力指示が第１の通信端末に一旦行われたにもかかわらず、この出力指示の送信から所定の時間が経過しても第１の通信端末が上記のアラーム条件を満たしている場合には、アラーム設定情報の送信元である第２の通信端末に対してもアラームの出力指示が送信される。例えば、子供の所持する第１の通信端末にアラームの出力指示を一旦行ったにもかかわらず、この出力指示の送信から所定の時間が経過しても子供が自宅内等（第１の範囲内）又は親の近く（親の所持する第２の通信端末を含む第２の範囲内）になければ、親の所持する通信端末に対してもアラームを行わせることが可能となる。
【０００８】
本発明の通信端末は、所定の通信ネットワークを介した通信を行うための第１の通信装置と、近距離通信を行うための第２の通信装置と、現在位置を測定するための位置測定装置とを備える通信端末であって、アラームの出力指示を端末に送信するアラーム指示サーバに対し、所定の他通信端末に上記出力指示を送信する送信時刻と上記他通信端末がアラームを行う場所にあるか否かを判定するための判定基準を示すアラーム条件とを含むアラーム設定情報を、上記第１の通信装置を用いて上記アラーム指示サーバに送信する送信手段と、上記送信手段によって上記アラーム設定情報が上記アラーム指示サーバに送信された後に、上記アラーム条件に基づく上記判定に必要な位置情報の送信要求が上記第１の通信装置によって上記アラーム指示サーバから受信されると、上記他通信端末が上記近距離通信の行える範囲内にあるか否かを上記第２の通信装置を用いて特定する位置特定手段と、上記位置特定手段による特定結果を、上記第１の通信装置を用いて上記アラーム指示サーバに通知する通知手段とを備える、ことを特徴とする。
【０００９】
このように、本発明の通信端末は、アラームの出力指示の送信時刻と、この出力指示の送信先となる他通信端末がアラームを行う場所にあるか否かを判定するための判定基準を示すアラーム条件とを含むアラーム設定情報を、アラーム指示サーバに送信し、このアラーム条件に基づく判定に必要なアラーム指示サーバからの位置情報の送信要求に応じて、他通信端末が近距離通信の可能な範囲内にあるか否かを示す位置情報をアラーム指示サーバに送信する。従って、アラーム出力の設定に時間と場所とが指定されるので、好適な状況で通信端末のアラーム出力が行える。
【００１０】
本発明のアラーム指示システムは、アラームの出力指示を端末に送信するアラーム指示サーバと、第１及び第２の通信端末とを備えたアラーム通知システムであって、上記第２の通信端末は、上記第１の通信端末に上記出力指示を送信する送信時刻と上記第１の通信端末がアラームを行う場所にあるか否かを判定するための判定基準を示すアラーム条件とを含むアラーム設定情報を、上記アラーム指示サーバに送信し、上記アラーム指示サーバは、上記アラーム設定情報を上記第２の通信端末から受信する受信手段と、上記受信手段によって受信された上記アラーム設定情報に含まれる上記送信時刻の所定時間前に至ると、上記アラーム条件に基づく上記判定に必要な上記第１及び第２の通信端末についての位置情報を所定の方法で取得する第１の取得手段と、上記第１の取得手段によって取得された上記位置情報に基づいて、上記第１の通信端末が所定の第１の範囲内にあるか、又は、上記第１の通信端末が上記第２の通信端末を含む所定の第２の範囲内にあるか、を判定する第１の判定手段と、上記第１の通信端末が上記第１の範囲内に無く、且つ、上記第１の通信端末が上記第２の範囲内に無い、と上記第１の判定手段によって判定された場合に、上記第１の通信端末に上記出力指示を上記送信時刻に送信する第１の指示手段とを有する、ことを特徴とする。
【００１１】
このように、本発明のアラーム指示システムの有するアラーム指示サーバは、アラームの出力指示を受ける第１の通信端末が、予め指定された所定の第１の範囲内に無く、且つ、アラーム設定情報を送信した第２の通信端末を含む所定の第２の範囲内に無い場合に、アラームの出力指示を予め指定された送信時刻に第１の通信端末に送信する。例えば、家族（親子）が第１及び第２の通信端末を所持しており、親が第２の通信端末を所持し、子供が第１の通信端末を所持する場合、親は、子供の行動を管理するために、子供の所持する第１の通信端末が子供の帰宅予定時刻等（送信時刻）に自宅内等（第１の範囲内）又は親の近く（親の所持する第２の通信端末を含む第２の範囲内）になければ、子供にアラームを行うことが可能となる。従って、アラーム出力の設定に時間と場所とが指定されるので、好適な状況で通信端末のアラーム出力が行える。
【００１２】
本発明のアラーム指示システムでは、上記アラーム指示サーバは、上記第１の指示手段が上記第１の通信端末に上記出力指示を送信してから所定の時間が経過すると、上記アラーム条件に基づく上記判定に必要な上記第１及び第２の通信端末についての位置情報を上記所定の方法で取得する第２の取得手段と、上記第２の取得手段によって取得された上記位置情報に基づいて、上記第１の通信端末が上記第１の範囲内にあるか、又は、上記第１の通信端末が上記第２の範囲内にあるか、を判定する第２の判定手段と、上記第１の通信端末が上記第１の範囲内に無く、且つ、上記第１の通信端末が上記第２の範囲内に無い、と上記第２の判定手段によって判定された場合に、上記第２の通信端末に上記出力指示を送信する第２の通知手段とを更に有する、ことを特徴とする。
【００１３】
従って、第１の通信端末が第１及び第２の範囲内に無いというアラーム条件を満たし、アラームの出力指示が第１の通信端末に一旦行われたにもかかわらず、この出力指示の送信から所定の時間が経過しても第１の通信端末が上記のアラーム条件を満たしている場合には、アラーム設定情報の送信元である第２の通信端末に対してもアラームの出力指示が送信される。例えば、子供の所持する第１の通信端末にアラームの出力指示を一旦行ったにもかかわらず、この出力指示の送信から所定の時間が経過しても子供が自宅内等（第１の範囲内）又は親の近く（親の所持する第２の通信端末を含む第２の範囲内）になければ、親の所持する第２の通信端末に対してもアラームを行わせることが可能となる。
【００１４】
本発明のアラーム指示方法は、アラームの出力指示を端末に送信するアラーム指示サーバと、第１及び第２の通信端末とを用いたアラーム指示方法であって、上記第１の通信端末に上記出力指示を送信する送信時刻と上記第１の通信端末がアラームを行う場所にあるか否かを判定するための判定基準を示すアラーム条件とを含むアラーム設定情報を、上記第２の通信端末が上記アラーム指示サーバに送信する送信ステップと、上記送信ステップにおいて送信された上記アラーム設定情報が上記アラーム指示サーバに受信され、上記アラーム設定情報に含まれる送信時刻の所定時間前に至ると、上記アラーム条件に基づく上記判定に必要な上記第１及び第２の通信端末についての位置情報を上記アラーム指示サーバが所定の方法で取得する第１の取得ステップと、上記第１の取得ステップにおいて取得された上記位置情報に基づいて、上記第１の通信端末が所定の第１の範囲内にあるか、又は、上記第１の通信端末が上記第２の通信端末を含む所定の第２の範囲内にあるか、を上記アラーム指示サーバが判定する第１の判定ステップと、上記第１の通信端末が上記第１の範囲内に無く、且つ、上記第１の通信端末が上記第２の範囲内に無い、と上記第１の判定ステップにおいて判定された場合に、上記アラーム指示サーバが上記第１の通信端末に上記出力指示を上記送信時刻に送信する第１の送信ステップとを有する、ことを特徴とする。
【００１５】
このように、本発明のアラーム指示方法に用いるアラーム指示サーバは、アラームの出力指示を受ける第１の通信端末が、予め指定された所定の第１の範囲内に無く、且つ、アラーム設定情報を送信した第２の通信端末を含む所定の第２の範囲内に無い場合に、アラームの出力指示を予め指定された送信時刻に第１の通信端末に送信する。例えば、家族（親子）が第１及び第２の通信端末を所持しており、親が第２の通信端末を所持し、子供が第１の通信端末を所持する場合、親は、子供の行動を管理するために、子供の所持する第１の通信端末が子供の帰宅予定時刻等（送信時刻）に自宅内等（第１の範囲内）又は親の近く（親の所持する第２の通信端末を含む第２の範囲内）になければ、子供にアラームを行うことが可能となる。従って、アラーム出力の設定に時間と場所とが指定されるので、好適な状況で通信端末のアラーム出力が行える。
【００１６】
本発明のアラーム指示方法では、上記第１の送信ステップにおいて上記第１の通信端末に上記出力指示を送信してから所定の時間が経過すると、上記アラーム条件に基づく上記判定に必要な上記第１及び第２の通信端末についての位置情報を上記アラーム指示サーバが上記所定の方法で取得する第２の取得ステップと、上記第２の取得ステップにおいて取得された上記位置情報に基づいて、上記第１の通信端末が上記第１の範囲内にあるか、又は、上記第１の通信端末が上記第２の範囲内にあるか、を上記アラーム指示サーバが判定する第２の判定ステップと、上記第１の通信端末が上記第１の範囲内に無く、且つ、上記第１の通信端末が上記第２の範囲内に無い、と上記第２の判定ステップにおいて判定された場合に、上記アラーム指示サーバが上記第２の通信端末に上記出力指示を送信する第２の送信ステップとを更に有する、ことを特徴とする。
【００１７】
従って、第１の通信端末が第１及び第２の範囲内に無いというアラーム条件を満たし、アラームの出力指示が第１の通信端末に一旦行われたにもかかわらず、この出力指示の送信から所定の時間が経過しても第１の通信端末が上記のアラーム条件を満たしている場合には、アラーム設定情報の送信元である第２の通信端末に対してもアラームの出力指示が送信される。例えば、子供の所持する第１の通信端末にアラームの出力指示を一旦行ったにもかかわらず、この出力指示の送信から所定の時間が経過しても子供が自宅内等（第１の範囲内）又は親の近く（親の所持する第２の通信端末を含む第２の範囲内）になければ、親の所持する第２の通信端末に対してもアラームを行わせることが可能となる。
【発明の効果】
【００１８】
本発明によれば、好適な状況で通信端末のアラーム出力を行えるようにするためのアラーム指示サーバと、通信端末と、アラーム指示システムと、アラーム指示方法とが提供できる。
【発明を実施するための最良の形態】
【００１９】
以下、図面を参照して、本発明に係る好適な実施形態について詳細に説明する。なお、図面の説明において、可能な場合には、同一要素には同一符号を付し、重複する説明を省略する。図１は、実施形態に係るアラーム指示システム１の構成を示す図である。アラーム指示システム１は、アラーム指示サーバ２、第２の通信端末３、第１の通信端末４、位置情報管理サーバ５、通信ネットワークＮ１及び通信ネットワークＮ２を備え、第２の通信端末３や第１の通信端末４等の通信端末にアラームの出力指示を行うための通信システムである。通信ネットワークＮ１と通信ネットワークＮ２とは同一のネットワークであってもよい。
【００２０】
アラーム指示サーバ２は、通信ネットワークＮ１を介して第２の通信端末３や第１の通信端末４等の通信端末と通信が行える。アラーム指示サーバ２は、通信ネットワークＮ２を介して位置情報管理サーバ５と通信が行える。アラーム指示サーバ２は、第２の通信端末３や第１の通信端末４等の通信端末にアラームの出力指示を行う。アラーム指示サーバ２は、このようなアラームの出力指示を行うためのアラーム設定情報（アラーム出力の設定を行うための情報）を管理する。アラーム設定情報は、第２の通信端末３や第１の通信端末４等の通信端末から送信される。
【００２１】
第２の通信端末３と第１の通信端末４とは、例えば親子の所有する携帯電話であり、同様の構成を有しているものとする。親は第２の通信端末３を所有しており、子供は第１の通信端末４を所有しているものとする。第２の通信端末３を所有する親は、第２の通信端末３及び第１の通信端末４を含むアラーム指示システム１を用いて子供の行動を管理できる。第２の通信端末３及び第１の通信端末４は、通信ネットワークＮ１を介した通信と、赤外線通信やＢｌｕｅｔｏｏｔｈ（登録商標）規格の近距離通信Ｌ（不図示）が可能である。また、第２の通信端末３及び第１の通信端末４は、ＧＰＳ信号を受信し、このＧＰＳ信号に基づいて現在位置を測定できる。
【００２２】
位置情報管理サーバ５は、通信ネットワークＮ２を介してアラーム指示サーバ２と、第２の通信端末３、第１の通信端末４等の通信端末と通信が行える。位置情報管理サーバ５は、通信ネットワークＮ２等の通信ネットワークを介して第２の通信端末３や第１の通信端末４等の通信端末から（又は各基地局から）定期的にそれぞれの位置情報（後述の位置情報Ｐ１及び位置情報Ｐ２）を取得する。位置情報管理サーバ５は、第２の通信端末３や第１の通信端末４等の通信端末から取得した位置情報を管理する。この位置情報は、ＧＰＳ信号に基づいて得られる位置情報、基地局を特定することによって得られる位置情報、第２の通信端末３や第１の通信端末４等の二つの通信端末が近距離通信Ｌの可能な範囲内にあるか否かを示す位置情報等である。また、位置情報管理サーバ５は、図示しないＣＰＵ等を有し、このＣＰＵに各種コンピュータプログラムを実行させることによって、上記の位置情報管理サーバ５の各種機能を実行する。なお、アラーム指示サーバ２が位置情報管理サーバ５を含む構成であってもよい。
【００２３】
次に、図２及び図３を参照して、アラーム指示サーバ２の構成を説明する。アラーム指示サーバ２は、図２に示すように、物理的には、ＣＰＵ２ａ、ＲＡＭ２ｂ、ＲＯＭ２ｃ、通信装置２ｄ及び記録装置２ｅを有しており、これらはバス２ｆに接続されている。ＣＰＵ２ａは、ＲＯＭ２ｃや記録装置２ｅ等の内蔵メモリに格納された所定のコンピュータソフトウェア（図６に示すアラーム指示サーバ２の行う処理を実行するためのコンピュータプログラム等を含む）をＲＡＭ２ｂにロードして実行することにより、アラーム指示サーバ２を統括的に制御する。通信装置２ｄは、通信ネットワークＮ１や通信ネットワークＮ２等を介して第１の通信端末４、第２の通信端末３及び位置情報管理サーバ５と通信を行うためのインターフェースを有する。記録装置２ｅは、書き込み／読み出し自在なメモリであり、第１の通信端末４等の通信端末から送信されるアラーム設定情報や、位置情報管理サーバ５から取得する位置情報等を格納する。
【００２４】
アラーム指示サーバ２は、図３に示すように、機能的には、受信手段２１、第１の取得手段２２、第１の判定手段２３、第１の指示手段２４、第２の取得手段２５、第２の判定手段２６及び第２の指示手段２７を有する。これらの受信手段２１〜第２の指示手段２７は、ＣＰＵ２ａがＲＯＭ２ｃや記録装置２ｅ等に格納された上記コンピュータソフトウェアを実行し、図２に示すアラーム指示サーバ２の各構成部を動作させることにより実現される機能である。ＣＰＵ２ａは、上記コンピュータソフトウェアを実行することにより（特に、受信手段２１〜第２の指示手段２７を用いて）、図６に示すアラーム指示サーバ２の行う処理を実行する。
【００２５】
受信手段２１は、第２の通信端末３からアラーム設定情報を受信する。アラーム設定情報は、この情報の送信元である第２の通信端末３の通信アドレス、アラームの出力指示の送信先を示す第１の通信端末４の通信アドレス、アラーム指示サーバ２が第１の通信端末４にアラームの出力指示を送信する送信時刻、第１の通信端末４がアラームを行う場所にあるか否かを判定するための判定基準を示すアラーム条件等の情報を含む。第１の取得手段２２は、受信手段２１によって受信されたアラーム設定情報に含まれる送信時刻の所定時間前（例えば２分前や３分前等）に至ると、アラーム条件に基づく上記判定に必要な第２の通信端末３及び第１の通信端末４についての位置情報（ＧＰＳ信号に基づいて得られる第２の通信端末３及び第１の通信端末４のそれぞれの位置情報、第２の通信端末３及び第１の通信端末４のそれぞれの通信を中継する基地局を特定することによって得られる位置情報、第２の通信端末３と第１の通信端末４とが近距離通信Ｌの可能な範囲内にあるか否かを示す位置情報等）を位置情報管理サーバ５から取得する。
【００２６】
なお、第１の取得手段２２は、位置情報管理サーバ５に替えて、第２の通信端末３及び第１の通信端末４のぞれぞれから、第２の通信端末３及び第１の通信端末４についての位置情報を取得してもよい。すなわち、第１の取得手段２２は、第２の通信端末３から第２の通信端末３の位置情報（ＧＰＳによる位置情報）を取得し、第１の通信端末４から第１の通信端末４の位置情報（ＧＰＳによる位置情報）を取得してもよいし、又た、第２の通信端末３から第２の通信端末３の位置情報（ＧＰＳによる位置情報）を取得し、第２の通信端末３から、第１の通信端末４が第２の通信端末３と近距離通信Ｌが行える範囲Ｅ２内にあるか否かを示す位置情報を取得してもよい。更に、第１の取得手段２２は、第１の通信端末４の位置情報（ＧＰＳによる位置情報）と、第１の通信端末４が第２の通信端末３と近距離通信Ｌが行える範囲Ｅ２内にあるか否かを示す位置情報とを第１の通信端末４から取得してもよい。
【００２７】
第１の判定手段２３は、第１の取得手段２２によって取得された位置情報に基づいて、第１の通信端末４がアラーム条件を満たしているか否かを判定する。なお、以下において、アラーム条件とは、「第１の通信端末４が所定の範囲Ｅ１内（図１を参照）に無く、且つ、第１の通信端末４が第２の通信端末３を含む所定の範囲Ｅ２内（図１を参照）に無い」という条件である。範囲Ｅ１は、例えば、第２の通信端末３を所持する親や第１の通信端末４を所持する子供の自宅や、この自宅を含むセル等である。なお、範囲Ｅ１は、例えば子供の送迎を行う送迎バスやこのバスの運転手の通信端末等を含む範囲であってもよい。範囲Ｅ２は、例えば、近距離通信Ｌの通信範囲である。すなわち、第１の判定手段２３は、第１の通信端末４が所定の範囲Ｅ１内（図１を参照）にあるか、又は、第１の通信端末４が第２の通信端末３を含む所定の範囲Ｅ２内（図１を参照）にあるか、を判定する。アラーム条件が満たされている場合、第１の通信端末４は、第１の通信端末４が範囲Ｅ１内に無く、且つ、第１の通信端末４が範囲Ｅ２内に無い。第１の指示手段２４は、第１の通信端末４が範囲Ｅ１内に無く、且つ、第１の通信端末４が範囲Ｅ２内に無い、と第１の判定手段２３によって判定された場合に（すなわち、第１の通信端末４がアラーム条件を満たしていると判定された場合に）、第１の通信端末４にアラームの出力指示を送信する。
【００２８】
第２の取得手段２５は、第１の指示手段２４が第１の通信端末４に出力指示を行ってから所定の時間（例えば１時間）が経過すると、第２の通信端末３及び第１の通信端末４についての位置情報を位置情報管理サーバ５から取得する。第２の判定手段２６は、第２の取得手段２５によって取得された位置情報に基づいて、第１の通信端末４がアラーム条件を満たすか否か、を判定する。第２の指示手段２７は、第１の通信端末４がアラーム条件を満たす、と第２の判定手段２６によって判定された場合に、第２の通信端末３にアラームの出力指示を送信する。
【００２９】
次に、図４及び図５を参照して、第２の通信端末３の構成を説明する。第２の通信端末３は、図４に示すように、物理的には、ＣＰＵ３ａ、ＲＡＭ３ｂ、ＲＯＭ３ｃ、入力装置３ｄ、出力装置３ｅ、通信装置３ｆ、近距離通信装置３ｇ、記録装置３ｈ及び位置測定装置３ｉを有しており、これらはバス３ｊに接続されている。ＣＰＵ３ａは、ＲＯＭ３ｃや記録装置３ｈ等の内蔵メモリに格納された所定のコンピュータソフトウェア（図６に示す第２の通信端末３の行う処理を実行するためのコンピュータプログラム等を含む）をＲＡＭ３ｂにロードして実行することにより、第２の通信端末３を統括的に制御する。
【００３０】
入力装置３ｄは、第２の通信端末３の操作面に設けられた入力キー等を含み、入力されたデータをＣＰＵ３ａに出力する。出力装置３ｅは、スピーカ、ＬＣＤ等の表示装置、ＬＥＤ灯、バイブレータ等を含む。出力装置３ｅは、ＣＰＵ３ａからのアラーム指示に応じて、スピーカから放音し、ＬＥＤを点灯・点滅し、バイブレータを駆動する等のアラーム出力を行う。通信装置３ｆは、通信ネットワークＮ１等を介して、第２の通信端末３等の他の通信端末やアラーム指示サーバ２と通信を行うためのインターフェースを有する。近距離通信装置３ｇは、赤外線通信やＢｌｕｅｔｏｏｔｈ（登録商標）規格の近距離通信Ｌを行う。記録装置３ｈ、書き込み／読み出し自在なメモリである。位置測定装置３ｉは、ＧＰＳ衛星からの信号に基づいて、第２の通信端末３の現在位置を算出する。
【００３１】
第２の通信端末３は、図５に示すように、機能的には、送信手段３１、位置特定手段３２及び通知手段３３を有する。これらの送信手段３１〜通知手段３３は、ＣＰＵ３ａがＲＯＭ３ｃや記録装置３ｈ等に格納された上記コンピュータソフトウェアを実行し、図４に示す第２の通信端末３の各構成部を動作させることにより実現される機能である。ＣＰＵ３ａは、上記コンピュータソフトウェアを実行することにより（特に、送信手段３１〜通知手段３３を用いて）、図６に示す第２の通信端末３の行う処理を実行する。
【００３２】
送信手段３１は、アラーム指示サーバ２に対し第１の通信端末４にアラームの出力指示を送信する送信時刻を含むアラーム設定情報を、通信装置３ｆを用いてアラーム指示サーバ２に送信する。位置特定手段３２は、送信手段３１によってアラーム設定情報がアラーム指示サーバ２に送信された後に、位置情報管理サーバ５又はアラーム指示サーバ２からの位置情報の送信要求が通信装置３ｆによって受信されると、位置測定装置３ｉを用いて第２の通信端末３の現在位置を特定する。なお、位置特定手段３２は、第１の通信端末４が近距離通信Ｌの行える範囲内にあるか否かを近距離通信装置３ｇを用いて判定することによって第１の通信端末４の位置を特定してもよい。通知手段３３は、位置特定手段３２によって特定された第２の通信端末３の現在位置（又は、更に第１の通信端末４の現在位置）を、通信装置３ｆを用いて位置情報管理サーバ５又はアラーム指示サーバ２に通知する。
【００３３】
次に、図４及び図５を参照して、第１の通信端末４の構成を説明する。第１の通信端末４の構成は、第２の通信端末３と同様であり、また、第１の通信端末４は、第２の通信端末３と近距離通信Ｌが行える。第１の通信端末４は、図４に示すように、物理的には、ＣＰＵ４ａ、ＲＡＭ４ｂ、ＲＯＭ４ｃ、入力装置４ｄ、出力装置４ｅ、通信装置４ｆ、近距離通信装置４ｇ、記録装置４ｈ及び位置測定装置４ｉを有しており、これらはバス４ｊに接続されている。ＣＰＵ４ａ〜バス４ｊのそれぞれは、上述のＣＰＵ３ａ〜バス３ｊのそれぞれと同様であり、よって、ＣＰＵ４ａ〜バス４ｊの説明を省略する。上述のＣＰＵ３ａ〜バス３ｊの説明中、第２の通信端末３、ＣＰＵ３ａ〜バス３ｊの記載のそれぞれを、第１の通信端末４、ＣＰＵ４ａ〜バス４ｊの記載にそれぞれ読み替えることによって、ＣＰＵ４ａ〜バス４ｊの説明とする。
【００３４】
また、第１の通信端末４は、図５に示すように、機能的には、送信手段４１、位置特定手段４２及び通知手段４３を有する。送信手段４１〜通知手段４３のそれぞれは、上述の送信手段３１〜通知手段３３のそれぞれと同様であり、よって、送信手段４１〜通知手段４３の説明を省略する。上述の送信手段３１〜通知手段３３の説明中、第２の通信端末３、第１の通信端末４、送信手段３１〜通知手段３３、通信装置３ｆ、近距離通信装置３ｇ、位置測定装置３ｉの記載のそれぞれを、第１の通信端末４、第２の通信端末３、送信手段４１〜通知手段４３、通信装置４ｆ、近距離通信装置４ｇ、位置測定装置４ｉの記載にそれぞれ読み替えることによって、送信手段４１〜通知手段４３の説明とする。
【００３５】
次に、図６を参照して、アラーム指示システム１の動作を説明する。まず、第２の通信端末３は、入力装置３ｄからの指示入力に応じてアラーム設定情報Ａ１を作成する。アラーム設定情報Ａ１は、この情報の送信元である第２の通信端末３の通信アドレス、アラームの出力指示の送信先を示す第１の通信端末４の通信アドレス、アラーム指示サーバ２が第１の通信端末４にアラームの出力指示を送信する送信時刻、第１の通信端末４がアラームを行う場所にあるか否かを判定するための判定基準を示すアラーム条件等の情報を含む。このアラーム条件は、第１の通信端末４が範囲Ｅ１内になく、且つ、第１の通信端末４が範囲Ｅ２内にない、という条件を示す。その後、送信手段３１は、アラーム設定情報Ａ１をアラーム指示サーバ２に送信し（ステップＳ１）、アラーム指示サーバ２の受信手段２１は、第２の通信端末３からアラーム設定情報Ａ１を受信する（ステップＳ２）。
【００３６】
これにより、第２の通信端末３を所持する親は、子供が所持する第１の通信端末４がアラームの送信時刻に範囲Ｅ１になく、且つ、範囲Ｅ２にない場合に（すなわち、第１の通信端末４がアラーム条件を満たしている場合に）、第１の通信端末４にアラームを出力させることが可能となる。このアラームによって、子供は、範囲Ｅ１や範囲Ｅ２に移動したり、親に連絡する等が可能となる。
【００３７】
ステップＳ２の後、第１の取得手段２２は、アラーム設定情報Ａ１に含まれた送信時刻の所定時間Ｔ１前（例えば２分前や３分前等）に至ると、アラーム条件に基づく判定に必要な第２の通信端末３及び第１の通信端末４についての位置情報の取得要求を位置情報管理サーバ５に送信し（ステップＳ３）、位置情報管理サーバ５は、この位置情報の取得要求を受信する（ステップＳ４）。
【００３８】
そして、ステップＳ４の後、位置情報管理サーバ５は、第２の通信端末３及び第１の通信端末４についての位置情報Ｐ１をアラーム指示サーバ２に送信し（ステップＳ５）、第１の取得手段２２は、位置情報管理サーバ５から位置情報Ｐ１を取得する（ステップＳ６）。位置情報Ｐ１は、ＧＰＳ信号に基づいて得られる第２の通信端末３及び第１の通信端末４のそれぞれの位置情報、第２の通信端末３及び第１の通信端末４のそれぞれの通信を中継する基地局を特定することによって得られる位置情報、第２の通信端末３と第１の通信端末４とが近距離通信Ｌの可能な範囲内にあるか否かを示す位置情報等である。ステップＳ６の後、第１の判定手段２３は、第１の通信端末４の現在位置がアラーム条件を満たしているか否かを判定する（ステップＳ７）。
【００３９】
第１の通信端末４の現在位置がアラーム条件を満たしていると第１の判定手段２３によって判定された場合（ステップＳ７；Ｙｅｓ）、すなわち、第１の通信端末４が、範囲Ｅ１になく、且つ、範囲Ｅ２にないと判定された場合に、第１の指示手段２４は、アラーム設定情報Ａ１に含まれた送信時刻にアラームの出力指示Ａ２を第１の通信端末４に送信する（ステップＳ８）。第１の通信端末４は、この出力指示Ａ２を受信すると、アラームを出力する。そして、第１の通信端末４の現在位置がアラーム条件を満たしていないと第１の判定手段２３によって判定された場合（ステップＳ７；Ｎｏ）、アラーム指示サーバ２は処理を終了する。
【００４０】
そして、ステップＳ８において出力指示Ａ２がアラーム指示サーバ２から出力されてから所定時間Ｔ２（例えば１時間）が経過すると、第２の取得手段２５は、アラーム条件に基づく判定に必要な第２の通信端末３及び第１の通信端末４についての位置情報の取得要求を位置情報管理サーバ５に送信し（ステップＳ９）、位置情報管理サーバ５は、この位置情報の取得要求を受信する（ステップＳ１０）。そして、ステップＳ１０の後、位置情報管理サーバ５は、第２の通信端末３及び第１の通信端末４についての位置情報Ｐ２をアラーム指示サーバ２に送信し（ステップＳ１１）、第２の取得手段２５は、位置情報管理サーバ５から位置情報Ｐ２を取得する（ステップＳ１２）。位置情報Ｐ２は、位置情報Ｐ１と同様の情報である。ステップＳ１２の後、第２の判定手段２６は、第１の通信端末４の現在位置がアラーム条件を満たしているか否かを判定する（ステップＳ１３）。第１の通信端末４の現在位置がアラーム条件を満たしていると第２の判定手段２６によって判定された場合（ステップＳ１３；Ｙｅｓ）、すなわち、第１の通信端末４が、範囲Ｅ１におらず、且つ、範囲Ｅ２にいないと判定された場合に、第２の指示手段２７は出力指示Ａ３を第２の通信端末３に送信する（ステップＳ１４）。第２の通信端末３は、この出力指示Ａ３を受信すると、アラームを出力する。
【００４１】
これにより、ステップＳ８の時点でアラームの出力指示が子供の所持する第１の通信端末４に送信され、その後、所定時間Ｔ２が経過したにもかかわらず、なお、この第１の通信端末４が、アラーム条件を満たしている、すなわち、第１の通信端末４が、範囲Ｅ１になく、且つ、範囲Ｅ２にない場合、この旨を示すアラームの出力指示が、親の所持する第２の通信端末３に送信される。これにより、親は、子供が自宅等の指定した場所にいないことを知ることができるので、いち早く子供に連絡を取る等が可能となる。そして、第１の通信端末４の現在位置がアラーム条件を満たしていないと第２の判定手段２６によって判定された場合（ステップＳ１３；Ｎｏ）、アラーム指示サーバ２は処理を終了する。
【００４２】
次に、実施形態に係るアラーム指示サーバ２の作用・効果を説明する。アラーム指示サーバ２は、アラームの出力指示を、第２の通信端末３や第１の通信端末４等の通信端末に送信する。アラーム指示サーバ２は、受信手段２１、第１の取得手段２２、第１の判定手段２３、第１の指示手段２４を備える。受信手段２１は、第１の通信端末４にアラームの出力指示を送信する送信時刻と第１の通信端末４がアラームを行う場所にあるか否かを判定するための判定基準を示すアラーム条件とを含むアラーム設定情報を、第２の通信端末３から受信する。第１の取得手段２２は、受信手段２１によって受信されたアラーム設定情報に含まれる送信時刻の所定時間前に至ると、アラーム条件に基づく上記判定に必要な第２の通信端末３及び第１の通信端末４についての位置情報を位置情報管理サーバ５から取得する。第１の判定手段２３は、第１の取得手段２２によって位置情報が取得されると、この位置情報に基づいて、第１の通信端末４が範囲Ｅ１内にあるか、又は、第１の通信端末４が第２の通信端末３を含む範囲Ｅ２内にあるか、を判定する。第１の指示手段２４は、第１の通信端末４が範囲Ｅ１内に無く、且つ、前記第１の通信端末が範囲Ｅ２内に無い、と第１の判定手段２３によって判定された場合に、第１の通信端末４にアラームの出力指示を、上記アラーム設定情報に含まれた送信時刻に送信する。
【００４３】
このように、アラーム指示サーバ２は、アラームの出力指示を受ける第１の通信端末４が、予め指定された所定の範囲Ｅ１内に無く、且つ、アラーム設定情報を送信した第２の通信端末３を含む所定の範囲Ｅ２内に無い場合に、アラームの出力指示を予め指定された送信時刻に第１の通信端末４に送信する。例えば、家族（親子）が第２の通信端末３及び第１の通信端末４を所持しており、親が第２の通信端末３を所持し、子供が第１の通信端末４を所持する場合、親は、子供の行動を管理するために、子供の所持する第１の通信端末４が子供の帰宅予定時刻等（送信時刻）に自宅内等（範囲Ｅ１内）又は親の近く（親の所持する第２の通信端末３を含む範囲Ｅ２内）になければ、子供にアラームを行うことが可能となる。このようにアラーム出力の設定に時間と場所とが指定されるので、好適な状況で通信端末のアラーム出力が行える。
【００４４】
更に、アラーム指示サーバ２は、第２の取得手段２５、第２の判定手段２６、第２の指示手段２７を備える。第２の取得手段２５は、第１の指示手段２４が第１の通信端末４にアラームの出力指示を行ってから所定の時間が経過すると、アラーム条件に基づく上記判定に必要な第２の通信端末３及び第１の通信端末４についての位置情報を位置情報管理サーバ５から取得する。第２の判定手段２６は、第２の取得手段２５によって取得された位置情報に基づいて、第１の通信端末４が範囲Ｅ１内にあるか、又は、第１の通信端末４が範囲Ｅ２内にあるか、を判定する。第２の指示手段２７は、第１の通信端末４が範囲Ｅ１内に無く、且つ、第１の通信端末４が範囲Ｅ２内に無い、と第２の判定手段２６によって判定された場合に、第２の通信端末３にアラームの出力指示を送信する。
【００４５】
従って、第１の通信端末４が範囲Ｅ１及び範囲Ｅ２内に無いというアラーム条件を満たし、アラームの出力指示が第１の通信端末４に一旦行われたにもかかわらず、この出力指示の送信から所定の時間が経過しても第１の通信端末４が上記のアラーム条件を満たしている場合には、アラーム設定情報の送信元である第２の通信端末３に対してもアラームの出力指示が送信される。例えば、子供の所持する第１の通信端末４にアラームの出力指示を一旦行ったにもかかわらず、この出力指示の送信から所定の時間が経過しても子供が自宅内等（範囲Ｅ１内）又は親の近く（親の所持する第２の通信端末３を含む範囲Ｅ２内）になければ、親の所持する第２の通信端末３に対してもアラームを行わせることが可能となる。
【００４６】
次に、実施形態に係る第２の通信端末３の作用・効果を説明する。第２の通信端末３は、通信装置３ｆ、近距離通信装置３ｇ、位置測定装置３ｉ、送信手段３１、位置特定手段３２、通知手段３３を有する携帯電話等の通信端末である。通信装置３ｆは、通信ネットワークＮ１等を介した通信を行う。近距離通信装置３ｇは、近距離通信Ｌを行う。位置測定装置３ｉは、ＧＰＳ信号に基づいて、第２の通信端末３の現在位置を測定する。送信手段３１は、アラーム指示サーバ２に対し第１の通信端末４にアラームの出力指示を送信する送信時刻と第１の通信端末４がアラームを行う場所にあるか否かを判定するための判定基準を示すアラーム条件とを含むアラーム設定情報を、通信装置３ｆを用いてアラーム指示サーバ２に送信する。位置特定手段３２は、送信手段３１によってアラーム設定情報がアラーム指示サーバ２に送信された後に、アラーム条件に基づく上記判定に必要な位置情報の送信要求が通信装置３ｆによってアラーム指示サーバ２から受信されると、第１の通信端末４が近距離通信Ｌの行える範囲内にあるか否かを近距離通信装置３ｇを用いて特定する。通知手段３３は、位置特定手段３２による特定結果を、通信装置３ｆを用いてアラーム指示サーバ２に通知する。
【００４７】
このように、第２の通信端末３は、アラームの出力指示の送信時刻と、この出力指示の送信先となる第１の通信端末４がアラームを行う場所にあるか否かを判定するための判定基準を示すアラーム条件とを含むアラーム設定情報を、アラーム指示サーバ２に送信し、このアラーム条件に基づく判定に必要なアラーム指示サーバ２からの位置情報の送信要求に応じて、第１の通信端末４が近距離通信Ｌの可能な範囲内にあるか否かを示す位置情報をアラーム指示サーバ２に送信する。従って、アラーム出力の設定に時間と場所とが指定されるので、好適な状況で通信端末のアラーム出力が行える。
【図面の簡単な説明】
【００４８】
【図１】実施形態に係るアラーム指示システムの構成を示す図である。
【図２】実施形態に係るアラーム指示サーバの構成を示す図である。
【図３】実施形態に係るアラーム指示サーバの構成を示す図である。
【図４】実施形態に係る通信端末の構成を示す図である。
【図５】実施形態に係る通信端末の構成を示す図である。
【図６】実施形態に係るアラーム指示システムの動作を説明するためのシーケンスである。
【符号の説明】
【００４９】
１…アラーム指示システム、２…アラーム指示サーバ、２１…受信手段、２２…第１の取得手段、２３…第１の判定手段、２４…第１の指示手段、２５…第２の取得手段、２６…第２の判定手段、２７…第２の指示手段、２ａ，３ａ，４ａ…ＣＰＵ、２ｂ，３ｂ，４ｂ…ＲＡＭ、２ｃ，３ｃ，４ｃ…ＲＯＭ、２ｄ，３ｆ，４ｆ…通信装置、２ｅ，３ｈ，４ｈ…記録装置、２ｆ，３ｊ，４ｊ…バス、３…第２の通信端末、３１，４１…送信手段、３２，４２…位置特定手段、３３，４３…通知手段、３ｄ，４ｄ…入力装置、３ｅ，４ｅ…出力装置、３ｇ，４ｇ…近距離通信装置、３ｉ，４ｉ…位置測定装置、４…第１の通信端末、５…位置情報管理サーバ、Ａ１…アラーム設定情報、Ａ２，Ａ３…出力指示、Ｅ１，Ｅ２…範囲、Ｎ１，Ｎ２…通信ネットワーク、Ｐ１，Ｐ２…位置情報
【図１】
2010004135.tif 000003
【図２】
2010004135.tif 000004
【図３】
2010004135.tif 000005
【図４】
2010004135.tif 000006
【図５】
2010004135.tif 000007
【図６】
2010004135.tif 000008